(57)【要約】【課題】容易な操作で画像情報受付装置の装置情報の保存および再設定を可能にすることを目的とする。【解決手段】記憶媒体へデータを書き込む書き込み部と、画像情報受付装置の装置情報を記憶媒体に保存する保存手段と、記憶媒体からデータを読み込む読み込み部と、保存した装置情報を記憶媒体から読み込み該画像情報受付装置の装置情報として設定する設定手段とを設けたことを特徴とする画像情報受付装置を提供する。【選択図】  図１
2004200828.tif 000002
【特許請求の範囲】
【請求項１】
撮像装置で撮像された画像情報を受け付けて、プリントを行う画像情報受付装置であって、
記憶媒体へデータを書き込む書き込み部と、
前記画像情報受付装置の装置情報を前記記憶媒体に保存する保存手段と、
前記記憶媒体からデータを読み込む読み込み部と、
前記保存した装置情報を前記記憶媒体から読み込み、該画像情報受付装置の装置情報として設定する設定手段と、
を備えることを特徴とする画像情報受付装置。
【請求項２】
請求項１記載の画像情報受付装置であって、
前記保存手段が、
前記画像情報受付装置の装置情報を前記記憶媒体へ保存する指示を行う保存指示手段と、
前記保存指示手段の指示により、前記装置情報を前記記憶媒体に書き込む装置情報保存手段と、
を備えることを特徴とする画像情報受付装置。
【請求項３】
請求項１または２記載の画像情報受付装置であって、
前記設定手段が、
前記画像情報受付装置の装置情報を設定するように指示する設定指示手段と、
前記記憶媒体から前記保存した装置情報を読み込み、該画像情報受付装置の装置情報として設定する装置情報設定手段と、
を備えることを特徴とする画像情報受付装置。
【請求項４】
請求項１から３のいずれかに記載の画像情報受付装置であって、
前記画像情報受付装置が、
該画像情報受付装置を一意に識別可能な装置識別子情報を備え、
前記保存手段が、
前記装置識別子を前記記憶媒体に書き込む識別子保存手段、
を備えることを特徴とする画像情報受付装置。
【請求項５】
請求項１から４のいずれかに記載の画像情報受付装置であって、
前記設定手段が、
前記記憶媒体から前記装置識別子を読み込み、該画像情報受付装置が備える装置識別子と比較を行い、２つの装置識別子が一致する場合に、前記装置情報設定手段を動作可能にする識別子比較手段、
を備えることを特徴とする画像情報受付装置。
【請求項６】
撮像装置で撮像された画像情報を受け付けて、プリントを行う画像情報受付装置における装置情報の設定方法であって、
前記画像情報受付装置の装置情報を記憶媒体に保存する段階と、
前記記憶媒体から読み込んだ前記保存した装置情報を、該画像情報受付装置の装置情報として設定する段階と、
を設けたことを特徴とする画像情報受付装置における装置情報設定方法。
【請求項７】
請求項６記載の画像情報受付装置における装置情報設定方法であって、
前記画像情報受付装置を一意に識別可能な装置識別子情報を設ける段階と、
前記装置識別子を前記記憶媒体に書き込む段階と、
前記記憶媒体から前記装置識別子を読み込み、該画像情報受付装置が備える装置識別子と比較を行う段階と、
前記比較の結果、前記２つの装置識別子が一致する場合に、該画像情報受付装置の装置情報を設定する段階と、
を設けたことを特徴とする画像情報受付装置における装置情報設定方法。
【発明の詳細な説明】
【０００１】
【発明の属する技術分野】
本発明は、撮像装置で撮像した画像をプリントするために、該撮像装置から画像情報を受け付ける画像情報受付装置に関し、特に画像情報受付装置の装置情報の設定に関するものである。
【０００２】
【従来の技術】
従来、複数メーカ、複数機種のデジタルカメラなどの撮像装置で撮像した画像のプリントを、利用者に対して容易な方法で受け付ける画像情報の受付装置がある（例えば、特許文献１参照。）。
【０００３】
【特許文献１】
特開平１０−３４１３０３号公報
【０００４】
係る画像情報受付装置においては、該受付装置の動作条件や動作状況などのシステム管理上重要な情報（以下、装置情報という）を装置内部に備える記憶装置に記憶しているのが一般的である。
【０００５】
ここで、動作条件とは、例えば、色調管理用のプロファイルと呼ばれる色調補正データや、個々の撮像装置の特性（輝度、明暗、ガンマ値など）など、個々の装置により異なる動作結果を、均一なプリント品質に保つための情報である。
【０００６】
また、動作状況とは、該受付装置が動作を開始してからの状況の記録であり、例えば、プリントした枚数や、料金、利用日付などの利用履歴のような情報である。
【０００７】
これらの装置情報を保存しておくためには、携帯可能なパーソナル・コンピュータ（以下、ＰＣという）などをシリアル通信回線などで該受付装置と接続し、ＰＣの画面およびキーボードなどを操作して該情報を取り出して保存する必要があり、手間が掛ったり、手順や処理に間違いが生じるという問題があった。
【０００８】
また、該画像情報受付装置が故障などにより、部品や制御部などのシステムを交換すると、交換以前のプリント枚数などが引き継げなかったり、動作設置場所毎に変更されていた動作条件がわからなくなるなど、装置情報が失われてしまうという問題もある。
【０００９】
また、ＰＣに保存した装置情報から、部品やシステムの交換前の状態に戻そうとする場合、やはり、携帯可能なパーソナル・コンピュータなどをシリアル通信回線などで該画像情報受付装置と接続し、ＰＣの画面およびキーボードなどを操作して装置情報を設定する必要があり、手間が掛ったり、他の画像情報受付装置の装置情報を設定してしまうような間違いが生じるという問題もある。
【００１０】
【発明が解決しようとする課題】
本発明は上述の課題に鑑みてなされたものであり、容易な操作で画像情報受付装置の装置情報の保存および再設定を可能にすることを目的とする。
【００１１】
【課題を解決するための手段】
上記目的を達成するために、本発明の第１の態様は、撮像装置で撮像された画像情報を受け付けてプリントを行う画像情報受付装置において、記憶媒体へデータを書き込む書き込み部と、前記画像情報受付装置の装置情報を前記記憶媒体に保存する保存手段と、前記記憶媒体からデータを読み込む読み込み部と、前記保存した装置情報を前記記憶媒体から読み込み該画像情報受付装置の装置情報として設定する設定手段とを設けたものである。
【００１２】
本発明の第２の態様は、上述の第１の態様に係る画像情報受付装置において、前記保存手段に、前記画像情報受付装置の装置情報を前記記憶媒体へ保存する指示を行う保存指示手段と、前記保存指示手段の指示により前記装置情報を前記記憶媒体に書き込む装置情報保存手段とを設けたものである。
【００１３】
本発明の第３の態様は、上述の第１または２の態様に係る画像情報受付装置において、前記設定手段に、前記画像情報受付装置の装置情報を設定するように指示する設定指示手段と、前記記憶媒体から前記保存した装置情報を読み込み該画像情報受付装置の装置情報として設定する装置情報設定手段とを設けたものである。
【００１４】
本発明の第４の態様は、上述の第１から３の態様に係る画像情報受付装置において、前記画像情報受付装置が、該画像情報受付装置を一意に識別可能な装置識別子情報を備え、前記保存手段に、前記装置識別子を前記記憶媒体に書き込む識別子保存手段を設けたものである。
【００１５】
本発明の第５の態様は、上述の第１から４の態様に係る画像情報受付装置において、前記設定手段に、前記記憶媒体から前記装置識別子を読み込み該画像情報受付装置が備える装置識別子と比較を行い２つの装置識別子が一致する場合に前記装置情報設定手段を動作可能にする識別子比較手段を設けたものである。
【００１６】
本発明の第６の態様は、撮像装置で撮像された画像情報を受け付けてプリントを行う画像情報受付装置における装置情報の設定方法において、前記画像情報受付装置の装置情報を記憶媒体に保存する段階と、前記記憶媒体から読み込んだ前記保存した装置情報を該画像情報受付装置の装置情報として設定する段階とを行うようにしたものである。
【００１７】
本発明の第７の態様は、上述の第６の態様に係る画像情報受付装置における装置情報設定手段において、前記画像情報受付装置を一意に識別可能な装置識別子情報を設ける段階と、前記装置識別子を前記記憶媒体に書き込む段階と、
前記記憶媒体から前記装置識別子を読み込み該画像情報受付装置が備える装置識別子と比較を行う段階と、前記比較の結果、前記２つの装置識別子が一致する場合に該画像情報受付装置の装置情報を設定する段階とを行うようにしたものである。
【００１８】
【発明の実施の形態】
以下、本発明を図示する実施形態に基づいて説明する。図１は、本発明の画像情報受付装置１の一実施例を示す構成図である。
【００１９】
画像情報受付装置１は、記憶装置２、不揮発性記憶装置３、書き込み部４、読み込み部５、制御部６を備えている。
【００２０】
画像情報受付装置１において、例えば、画像を記憶した媒体の読み取り装置、プリンタ、スタッカ、撮像装置を接続するコネクタ部など、撮像装置の画像情報の受け付けや、プリントに使用する機能の図示および説明は、省略する。
【００２１】
記憶装置２は、設置場所に合わせた動作条件の設定や、可動後の動作状況などの記憶が可能なように、書き換え可能な記憶装置である。
【００２２】
不揮発性記憶装置３は、画像情報受付装置１を一意に識別可能な装置識別子情報などを、製作時に記憶させたＲＯＭなどの情報の書き換えを許さない記憶装置である。
【００２３】
書き込み部４は、着脱可能な磁気記憶媒体、半導体記憶媒体、光学記憶媒体などの記憶媒体に装置情報を保存する装置であり、記憶媒体に応じたデータ書き込み機構を備えるものである。
【００２４】
使用する記憶媒体が、画像情報受付装置が受け付けた画像を保存する記憶媒体と同一である場合は、該画像情報受付装置１が備える読み込み／書き込み装置と兼用することも可能である。
【００２５】
読み込み部５は、着脱可能な磁気記憶媒体、半導体記憶媒体、光学記憶媒体などの記憶媒体から装置情報を読み込む装置であり、記憶媒体に応じたデータ読み込み機構を備えるものである。
【００２６】
読み込み部５は、書き込み部４と一体化したものを用いたり、使用する記憶媒体が、画像情報受付装置が受け付けた画像を保存する記憶媒体と同一である場合は、該画像情報受付装置１が備える読み込み／書き込み装置と兼用することも可能である。
【００２７】
制御部６は、画像情報受付装置１の画像受付処理に加えて、保存手段７および設定手段８などの処理プログラムを記憶し、実行するものである。
【００２８】
保存手段７は、保存指示手段９、識別子保存手段１０および装置情報保存手段１１を備えており、記憶媒体へ装置情報の保存を行うプログラムである。
【００２９】
保存指示手段９は、例えば、表示部において、図２（ａ）および図２（ｂ）の表示画面の遷移によりメニューが選択された際に、図２（ｃ）に示す「装置情報保存」画面を表示する。
【００３０】
識別子保存手段１０は、図２（ｃ）に示す画面により「保存」ボタンが押された際に、不揮発性記憶装置３から装置識別子を読み取り、書き込み部４へ挿入されている該記憶媒体へ書き出す。
【００３１】
また、装置情報保存手段１１は、上述の装置識別子に連続させて、記憶装置２に記憶されている装置情報を該記憶媒体へ書き出す。書き出す際の各データの形式は、設定手段８との整合が取れていれば、任意である。
【００３２】
設定手段８は、設定指示手段１２、識別子比較手段１３および装置情報設定手段１４を備えており、装置情報を記憶した記憶媒体から該装置情報を読み出し、画像情報受付装置１へ装置情報を設定するプログラムである。
【００３３】
設定指示手段１２は、例えば、表示部において、図２（ａ）および図２（ｂ）の表示画面の遷移によりメニューが選択された際に、図２（ｄ）に示す「装置情報設定」画面を表示する。
【００３４】
識別子比較手段１３は、図２（ｄ）に示す画面により「設定」ボタンが押された際に、読み込み部５に挿入された記憶媒体から装置識別子を読み込み、画像情報受付装置１の不揮発性記憶装置３に記憶されている装置識別子と比較する。
【００３５】
２つの識別子が一致する場合は、該記憶媒体が該画像情報受付装置１の装置情報を保存していることがわかるので、装置情報設定手段１４は、読み込み部５に挿入されている該記憶媒体から装置情報を読み出し、画像情報受付装置１の記憶装置２に書き込み、装置情報を画像情報受付装置１へ設定する。
【００３６】
以上、本発明を実施の形態に基づいて詳細に説明してきたが、本発明による画像情報受付装置および画像情報受付装置における装置情報設定手段は、上述の実施の形態に何ら限定されるものではなく、本発明の趣旨を逸脱しない範囲において、種々の変更が可能なことは当然のことである。
【００３７】
【発明の効果】
以上のとおり、本発明に係る画像情報受付装置および画像情報受付装置における装置情報設定手段によれば、該画像情報受付装置において、表示部の画面に表示されたメニューボタンの選択という容易な方法で、装置情報の記憶媒体への保存および記憶媒体からの設定を行うことが可能になる。
【００３８】
また、装置情報を設定する際に、記憶媒体に保存された装置識別子と画像情報受付装置の不揮発性記憶装置から読み取った装置識別子を比較することにより、確実に元の装置情報を設定することができ、装置情報の継続性を保つことが可能になる。
【図面の簡単な説明】
【図１】本発明の一実施の形態を示すシステム構成図である。
【図２】本発明の保存手段および設定手段の画面の例である。
【符号の説明】
１  画像情報受付装置
２  記憶装置
３  不揮発性記憶装置
４  書き込み部
５  読み込み部
６  制御部
７  保存手段
８  設定手段
９  保存指示手段
１０  識別子保存手段
１１  装置情報保存手段
１２  設定指示手段
１３  識別子比較手段
１４  装置情報設定手段
【図１】
2004200828.tif 000003
【図２】
2004200828.tif 000004